(57)【特許請求の範囲】
【請求項１】
揺動自在な一対の花弁体の上端部間および中央部間に遊技球の外径よりもわずかに大きな間隙を確保し遊技球の通過を許容して入賞検出を実行可能な通過許容状態と、花弁体の上端部間に遊技球の外径よりも小さな間隙を確保し遊技球の通過を阻止して入賞検出を停止可能な通過阻止状態とに変換する入賞装置であって、
遊技球の入賞検出部に至る入賞経路と、
この入賞経路に対して上端部間および中央部間に遊技球の外径よりもわずかに大きな間隙を確保した遊技球の通過を許容する通過許容状態と、上端部間に遊技球の外径よりも小さな間隙を確保した遊技球の通過を阻止する通過阻止状態の間を変位可能に配設し、常態においては通過許容状態となる一方、この通過許容状態において遊技球が入賞経路を通過する場合にはその通過過程で一旦通過阻止状態に変位する花弁体と、
花弁体の近傍に変位可能に配設し、所定のアンロック状態となった場合には花弁体の通過許容状態への変位を許容する一方、当該アンロック状態において遊技球が入賞経路を通過した場合には当該遊技球に当接して所定のロック状態になるとともに通過阻止状態に変位した花弁体に設けた係合突起に係合して通過許容状態への復帰を阻止するために、円板部に形成した変位用欠損部および動力伝達板に形成した間欠用欠損部を設けたロータと、
遊技中において一定の駆動動作を繰り返し実施する、出力軸にカムプレートを備える電動モータと、
これらロータおよび電動モータの間に介在し、前記カムプレートに設けたドライブピンに係合可能なドリブンレバーおよび前記ロータの間欠用欠損部に臨むと共に動力伝達板に係合可能なドライブレバーを弁本体の周面に備え、当該弁本体の軸心周りに回転可能なロータ送り弁と、
を備え、
前記ロータが、花弁体の係合突起を円板部に係止させたロック状態となっている場合に前記ロータ送り弁のドライブレバーがロータの動力伝達板に係合して前記電動モータの駆動動作をロータに伝達し、予め設定した時間が経過した際に当該ロータを花弁体の係合突起が変位用欠損部に合致するアンロック状態に復帰させることを特徴とする入賞装置。
【発明の詳細な説明】
【０００１】
【発明の属する技術分野】
本発明は、パチンコ機等の遊技機に適用される入賞装置に関する。
【０００２】
【従来の技術】
遊技機の一種であるパチンコ機には、所定の条件が成立した場合に特別遊技となり、例えば大入賞口である変動入賞装置を開成するなどして遊技者に大きな利益をもたらすことができるようにしたものがある。この種のパチンコ機としては、上述した変動入賞装置のほかに、図柄可変表示装置、スタートチャッカ、権利発生装置および大当たり始動口を備えて構成したものが挙げられる。図柄可変表示装置は、例えば、３つの表示領域を有した液晶表示器によって構成されており、各表示領域においてそれぞれ複数の図柄を変動表示することが可能である。スタートチャッカは、図柄表示装置の始動契機となる入賞率一定の入賞口であり、遊技球の検出手段を具備している。権利発生装置は、遊技球の入賞がきわめて容易な開成状態と、遊技球が入賞できない（あるいは入賞がきわめて困難な）閉成状態とに変換する入賞装置である。この権利発生装置の内部には、それぞれ遊技球の検出手段を具備した特定入賞口と一般入賞口とが設けられている。大当たり始動口は、スタートチャッカと同様に入賞率が一定の入賞口であり、遊技球の検出手段を具備している。
【０００３】
このパチンコ機では、先ず、発射した遊技球がスタートチャッカへ入賞すると、検出手段による遊技球の入賞検出を契機として図柄可変表示装置が変動表示を開始し、所定の変動時間経過後に順次停止図柄を表示する。この図柄可変表示装置に表示された停止図柄が予め設定した特定の態様（例えば「１１１」や「２２２」等）である場合には、権利発生装置が閉成状態から開成状態に変換し、当該権利発生装置に対する遊技球の入賞がきわめて容易となる。この状態から権利発生装置に入賞した遊技球が特定入賞口に入賞すると、その入賞検出を契機として権利発生となり、その後、さらに大当たり始動口へ遊技球が入賞し、検出手段によって検出された場合に特別遊技となる。
【０００４】
この特別遊技では、例えば通常時においては遊技球の入賞が困難な閉成状態にある変動入賞装置が、所定の期間だけ遊技球の入賞が容易な開成状態に変換するようになり、当該変動入賞装置に対する入賞数が短時間に大量となる。さらに、上述した特別遊技は、例えば１０秒経過、もしくは変動入賞装置への入賞が規定個数（例えば１０個）に達する、のいずれかが達成されるまでの間、変動入賞装置が継続的に開成状態に変換された状態を１ラウンドとし、大当たり始動口に最大１６個の遊技球が入賞するまで、つまり最大１６ラウンドまで繰り返し実施することが可能である。
これらの結果、上記パチンコ機によれば、特別遊技となった場合に、遊技者に対してきわめて大きな利益を与えることができるようになる。
【０００５】
【発明が解決しようとする課題】
ところで、上述したパチンコ機では、大当たり始動口へ１６個の遊技球が入賞した時点で現在のラウンド数に関係なく権利が消滅し、初期状態に復帰するように設定してあるのが一般的である。
【０００６】
こうした遊技仕様は、遊技者の射幸心を抑えることができる点で意義のあるものではあるが、遊技者によって特別遊技の実施期間そのものに大きな差が生じ、遊技者に十分な満足感を与えることができないばかりか、遊技者が得ることのできる利益、つまり遊技者がトータルで獲得することのできる賞球数にきわめて大きな開きが生じるのも事実である。
【０００７】
そこで従来では、上述した遊技仕様を変更することなく遊技者に対して平等の機会を与えるため、大当たり始動口において遊技球の検出手段に至るまでの入賞経路中に回転体を配設するようにしたパチンコ機が提供されている。この回転体は、周面の一部に遊技球を唯一保留することのできる切欠を有したもので、常に一定の速度、具体的には１回転する時間が変動入賞装置の開成時間（１０秒）よりも長くなるような速度で回転している。
【０００８】
このパチンコ機では、遊技球が大当たり始動口へ入賞すると、当該遊技球が回転体の切欠に保留され、その後、回転体の回転に伴って円周上を順次移動するようになる。回転体が所定の位置まで回転すると、遊技盤に設けた導出孔を通じて遊技球が導出され、その後、検出手段に到達した時点で当該遊技球の入賞検出が実行されることになる。上記のように構成したパチンコ機によれば、回転体が１回転するまでの間、次の遊技球の入賞検出が実行されないため、最大ラウンド数に達する以前に権利が消滅し、初期状態に復帰する事態を防止することが可能となる。従って、遊技者に平等の機会を与えることができるとともに、遊技者が得ることのできる利益にきわめて大きな開きが生じる事態を防止することができるようになる。
【０００９】
しかしながら、上記パチンコ機にあっては、例えば権利発生後、最初の遊技球が大当たり始動口に入賞した場合であっても、この遊技球が回転体によって遊技盤の導出孔に運ばれるまでの間、入賞検出が実行されないため、特別遊技が開始するまでに暫時時間を要する。しかも、回転体に設けた切欠とのタイミングが合致しない場合には、遊技球が回転体の切欠に保留されるまでにおいて既に約１０秒もの時間が必要となり、その後、さらに遊技球が回転体によって遊技盤の導出孔に運ばれるまで待たなければならない。つまり、上記パチンコ機では、権利が発生してから実際に変動入賞装置が開成して遊技者が大量の賞球を得られる状態となるまでに多大な時間を要することになる。この結果、遊技者の遊技意欲に水を差す形となり、その興趣も著しく損なわれることになる。
【００１０】
本発明は、上記実情に鑑みて、遊技者の遊技意欲や遊技の興趣を損なうことなく遊技球の連続入賞に伴う遊技者の不利益を防止することのできる入賞装置を提供することを解決課題とする。
【００１１】
【課題を解決するための手段】
本発明では、揺動自在な一対の花弁体の上端部間および中央部間に遊技球の外径よりもわずかに大きな間隙を確保し遊技球の通過を許容して入賞検出を実行可能な通過許容状態と、花弁体の上端部間に遊技球の外径よりも小さな間隙を確保し遊技球の通過を阻止して入賞検出を停止可能な通過阻止状態とに変換する入賞装置であって、遊技球の入賞検出部に至る入賞経路と、この入賞経路に対して上端部間および中央部間に遊技球の外径よりもわずかに大きな間隙を確保した遊技球の通過を許容する通過許容状態と、上端部間に遊技球の外径よりも小さな間隙を確保した遊技球の通過を阻止する通過阻止状態の間を変位可能に配設し、常態においては通過許容状態となる一方、この通過許容状態において遊技球が入賞経路を通過する場合にはその通過過程で一旦通過阻止状態に変位する花弁体と、花弁体の近傍に変位可能に配設し、所定のアンロック状態となった場合には花弁体の通過許容状態への変位を許容する一方、当該アンロック状態において遊技球が入賞経路を通過した場合には当該遊技球に当接して所定のロック状態になるとともに通過阻止状態に変位した花弁体に設けた係合突起に係合して通過許容状態への復帰を阻止するために、円板部に形成した変位用欠損部および動力伝達板に形成した間欠用欠損部を設けたロータと、遊技中において一定の駆動動作を繰り返し実施する、出力軸にカムプレートを備える電動モータと、これらロータおよび電動モータの間に介在し、前記カムプレートに設けたドライブピンに係合可能なドリブンレバーおよび前記ロータの間欠用欠損部に臨むと共に動力伝達板に係合可能なドライブレバーを弁本体の周面に備え、当該弁本体の軸心周りに回転可能なロータ送り弁と、を備え、前記ロータが、花弁体の係合突起を円板部に係止させたロック状態となっている場合に前記ロータ送り弁のドライブレバーがロータの動力伝達板に係合して前記電動モータの駆動動作をロータに伝達し、予め設定した時間が経過した際に当該ロータを花弁体の係合突起が変位用欠損部に合致するアンロック状態に復帰させるようにしている。
【００１３】
【発明の実施の形態】
以下、実施の形態を示す図面に基づいて本発明を詳細に説明する。
図５は、本発明に係る入賞装置の一実施形態を適用したパチンコ機１を示したものである。このパチンコ機１の遊技盤２には、ガイドレール３で囲まれる遊技領域４に図柄表示ユニット１０を設けてある。
【００１４】
図柄表示ユニット１０は、遊技領域４のほぼ中央となる位置に配置したもので、普通図柄表示装置１００と始動記憶用ランプアレイ１１０とを備えて構成してある。
【００１５】
普通図柄表示装置１００は、表示領域を通じて遊技者に数字、記号、絵等の複数の図柄を変動表示するためのものである。本実施形態の普通図柄表示装置１００は、横３列の表示領域１０１，１０２，１０３を有しており、これら各表示領域１０１，１０２，１０３にそれぞれ複数の図柄を変動表示することが可能である。この普通図柄表示装置１００としては、液晶表示器や回転するドラム等を適用することができる。始動記憶用ランプアレイ１１０は、普通図柄表示装置１００の始動記憶を表示するためのもので、当該普通図柄表示装置１００の上部に４つのランプを横１列に配列することによって構成してある。
【００１６】
また、上記パチンコ機１の遊技盤２には、遊技領域４における図柄表示ユニット１０の下方となる位置にスタートチャッカ２０を設けてあるとともに、正面向かって左方となる位置に権利発生装置３０を設け、さらにスタートチャッカ２０の下方となる位置に変動入賞装置４０を設けてある。
【００１７】
スタートチャッカ２０は、普通図柄表示装置１００の始動契機となるもので、遊技球を唯一通過させることができる程度の開口を有した通過率一定の始動入賞具によって構成してある。スタートチャッカ２０に入賞した遊技球は、遊技盤２の裏面側に取り込まれ、図示せぬ集合樋を通過した後、入賞球導入路を通じて入賞球処理装置に案内される。
【００１８】
このスタートチャッカ２０には、上述した図示せぬ集合樋に至るまでの間に普図始動スイッチ２１を配設してある。普図始動スイッチ２１は、スタートチャッカ２０から入賞した遊技球を電気的に検出し、その検出結果を後述する遊技制御装置６００の遊技制御用ＣＰＵ６０１に与えるものである。
【００１９】
権利発生装置３０は、遊技球が入賞できない（あるいは入賞がきわめて困難な）閉成状態と、遊技球の入賞がきわめて容易な開成状態とに切り替わる入賞装置である。本実施形態では、周壁３１によって取り囲んだ入賞領域３２と、この入賞領域３２の上端入口に開閉可能に配設した一対の可動翼片３３と、これら可動翼片３３を駆動するための翼片駆動ソレノイド３４とを備えた電動チューリップによって構成してある。すなわち、この権利発生装置３０は、翼片駆動ソレノイド３４の駆動により、一対の可動翼片３３が互いの先端部を接合させた場合に上述した閉成状態（図５中の二点鎖線で示す状態）となる一方、一対の可動翼片３３がそれぞれ傾倒して互いの間に大きな間隔を確保した場合に上述した開成状態（図５中の実線で示す状態）となる。権利発生装置３０に入賞した遊技球は、入賞領域３２の中央部に設けた特定入賞口３５あるいはその左右両側に設けた一対の一般入賞口３６のいずれかを通過した後、共通の案内通路３７を通じて遊技盤２の裏面側に取り込まれ、さらに図示せぬ集合樋を通過した後、入賞球導入路を通じて入賞球処理装置に案内されることになる。
【００２０】
この権利発生装置３０の内部には、上述した集合樋に至るまでの間にＶ入賞検出スイッチ３８および入賞検出スイッチ３９を配設してある。これらＶ入賞検出スイッチ３８および入賞検出スイッチ３９は、それぞれ権利発生装置３０に入賞した遊技球を電気的に検出し、個々の検出結果を後述する遊技制御用ＣＰＵ６０１に与えるものである。Ｖ入賞検出スイッチ３８は、入賞領域３２に入賞した遊技球のうち特定入賞口３５を通過したもののみを検出するように当該特定入賞口３５の内部に配設してあり、一方、入賞検出スイッチ３９は、入賞領域３２に入賞したすべての遊技球を検出するように案内通路３７の途中に配設してある。
【００２１】
変動入賞装置４０は、上述した権利発生装置３０と同様、遊技球が入賞できない（あるいは入賞がきわめて困難な）閉成状態と、遊技球の入賞がきわめて容易な開成状態とに切り替わる入賞装置である。本実施形態では、遊技盤２に設けた横長の大入賞口４１と、この大入賞口４１を開閉するように設けた変動ゲート板４２と、該変動ゲート板４２を駆動するためのゲート板駆動ソレノイド４３とを備えて変動入賞装置４０を構成してある。すなわち、この変動入賞装置４０は、ゲート板駆動ソレノイド４３の駆動により上記変動ゲート板４２をその下端部を介して回転させ、大入賞口４１を閉じるように直立させた場合（図５中の二点鎖線で示す）に上述した閉成状態になる一方、大入賞口４１を開くように前傾させた場合（図５中の実線で示す）に上述した開成状態となる。大入賞口４１に入賞した遊技球は、当該大入賞口４１を通じて遊技盤２の裏面側に取り込まれ、図示せぬ集合樋を通過した後、入賞球導入路を通じて入賞球処理装置に案内されることになる。
【００２２】
この大入賞口４１の内部には、上述した集合樋に至るまでの間に入賞カウントスイッチ４４を配設してある。この入賞カウントスイッチ４４は、大入賞口４１から入賞した遊技球を電気的に検出し、その検出結果を後述する遊技制御用ＣＰＵ６０１に与えるものである。
【００２３】
さらに、上記パチンコ機１の遊技盤２には、遊技領域４における図柄表示ユニット１０の正面向かって右方となる位置に、本発明に係る入賞装置の一実施形態である、大当たり始動入賞装置５０を設けてある。
【００２４】
この大当たり始動入賞装置５０は、上述した変動入賞装置４０の状態を切り替える契機となるもので、図１乃至図３に示すように、その内部に入賞経路５１を有している。入賞経路５１は、基板５２に設けた切欠５２ａを周壁５３および前壁５４によって取り囲むことにより構成したもので、その上端部が入賞開口５１ａを介して上方に開口する一方、その下端部が下方に設けた大当たり始動スイッチ５１０に連続している。大当たり始動スイッチ５１０は、入賞経路５１を通過する遊技球を電気的に検出し、その検出結果を後述する遊技制御用ＣＰＵ６０１に与えるものである。
【００２５】
この入賞経路５１には、その上端部両側に入賞規制部材としてそれぞれ花弁体５２０を設けてあるとともに、当該花弁体５２０と大当たり始動スイッチ５１０との間に位置する部位に駆動部材としてロータ５３０を設けてある。
【００２６】
花弁体５２０は、それぞれ基板５２の前面から前方に向けて突設した軸部材５５に支承させてあり、各軸部材５５の軸心回りに揺動することが可能である。軸部材５５による支承位置は、常態において各花弁体５２０が重力の作用によって傾動し、図１（ｂ）に示すように、それぞれの下端部間が相互に近接した姿勢に保持されるように設定してある。
【００２７】
これらの花弁体５２０には、それぞれ係合突起５２１および切替作用面５２２を設けてある。係合突起５２１は、各花弁体５２０の下端部後面からそれぞれ基板５２の切欠５２ａを貫通するように後方に向けて延在した部分である。切替作用面５２２は、互いに対向する部位に形成した凹状面であり、以下の条件を満足するように形成してある。すなわち、この切替作用面５２２は、それぞれの上端部が相互に離隔するように花弁体５２０を揺動させた場合（以下、単に通過許容状態と称する）に、図１（ｂ）および図３（ａ）に示すように、当該上端部間および中央部間に遊技球の外径よりもわずかに大きな間隙を確保するとともにそれぞれの下端部間に遊技球の外径よりもわずかに小さな間隙を確保するようになっている。一方、それぞれの上端部が相互に近接するように花弁体５２０を揺動させた場合（以下、単に通過阻止状態と称する）には、図２（ｂ）および図３（ｅ）に示すように、当該上端部間に遊技球の外径よりも小さな間隙を確保するとともに、それぞれの中央部間および下端部間に遊技球の外径よりもわずかに大きな間隙を確保するようになっている。
【００２８】
ロータ５３０は、円柱状部５３１の両端にそれぞれ円板部５３２を設けるとともに、円柱状部５３１の周面に複数の動力伝達板、本実施形態では４つの動力伝達板５３３を設けたものである。このロータ５３０は、花弁体５２０の係合突起５２１がそれぞれ円板部５３２の外表面に係合し、かつ動力伝達板５３３が入賞経路５１に臨む位置において円柱状部５３１が水平となる姿勢で当該円柱状部５３１の軸心回りに回転可能に配設してある。円板部５３２は、互いの外表面間距離が、通過阻止状態にある花弁体５２０の下端部相互間隔にほぼ等しい長さであり、それぞれの外表面に花弁体５２０の係合突起５２１が係合した場合に当該花弁体５２０を通過阻止状態に保持することが可能である。動力伝達板５３３は、一対の円板部５３２を連結する幅を有した平板状部材であり、互いに等間隔となる位置、つまり互いの角度が９０°となるように配置してある。
【００２９】
図からも明らかなように、ロータ５３０の円板部５３２および動力伝達板５３３には、それぞれ欠損部を設けてある。円板部５３２の欠損部（以下、単に変位用欠損部５３２ａと称する）は、互いに対向する部位においてほぼ９０°の範囲を切り欠いて構成したものである。これら変位用欠損部５３２ａは、花弁体５２０の係合突起５２１が合致した場合に当該係合突起５２１を通過させ、図１に示すように、花弁体５２０を通過許容状態に変位させることが可能である。動力伝達板５３３の欠損部（以下、単に間欠用欠損部５３３ａと称する）は、当該動力伝達板５３３の幅を１／２にするためのもので、特定の動力伝達板５３３、本実施形態では図１（ｃ）に示すように、ロータ５３０の変位用欠損部５３２ａが花弁体５２０の係合突起５２１と合致している状態（以下、単にアンロック状態と称する）において、もっとも奥方に位置する動力伝達板５３３にのみ形成してある。
【００３０】
なお、図中の符号５３４は、一対の動力伝達板５３３に圧接するように配置したロータ押さえであり、例えば板バネによって構成してある。このロータ押さえ５３４は、常に動力伝達板５３３の相互間となる部位と花弁体５２０の係合突起５２１とが対向する状態でロータ５３０が停止するように当該ロータ５３０の回転姿勢を規定するものである。
【００３１】
また、上記大当たり始動入賞装置５０には、ロータ５３０よりもさらに奥方となる位置に駆動源として電動モータ５４０を設けてあるとともに、この電動モータ５４０とロータ５３０との間に位置する部位に動力伝達機構としてロータ送り弁５５０を設けてある。
【００３２】
電動モータ５４０は、出力軸５４１の軸心がロータ５３０の軸心と平行となるように配設したもので、当該出力軸５４１にカムプレート５４２を備えている。カムプレート５４２は、出力軸５４１の軸心を中心軸線とする円板状部材である。このカムプレート５４２には、その外表面にドライブピン５４３を設けてある。ドライブピン５４３は、細径の円柱状部材であり、カムプレート５４２の外周縁部から出力軸５４１の軸心に沿って突設してある。
【００３３】
ロータ送り弁５５０は、円柱状を成す弁本体５５１の周面にドリブンレバー５５２およびドライブレバー５５３を備えたもので、弁本体５５１の軸心がロータ５３０の軸心と平行となる姿勢で該弁本体５５１の軸心回りに回転可能に配設してある。ドリブンレバー５５２は、弁本体５５１の周面においてカムプレート５４２の外表面側となる部位から径外方向に向けて延在しており、当該カムプレート５４２が回転した場合にその先端部を介してドライブピン５４３と係合することが可能である。一方、ドライブレバー５５３は、弁本体５５１の周面においてロータ５３０の間欠用欠損部５３３ａに対応する部位から径外方向に向けて延在している。このドライブレバー５５３は、ロータ送り弁５５０が回転した場合において間欠用欠損部５３３ａを有した動力伝達板５３３とは係合しないものの、他の動力伝達板５３３とは先端部を介して係合することが可能である。
【００３４】
上記ロータ送り弁５５０は、常態においてドリブンレバー５５２がドライブピン５４３に係合可能となり、かつドライブレバー５５３がロータ５３０よりも下方において動力伝達板５３３と非係合となる状態に保持してあり、この状態からドライブレバー５５３が動力伝達板５３３と係合可能となるように上方に向けて揺動することが可能である。
【００３５】
なお、図５中の符号５はスタートチャッカ２０、権利発生装置３０、変動入賞装置４０および大当たり始動入賞装置５０のいずれにも入賞しなかった遊技球を回収するためのアウト口であり、図５中の符号６は遊技盤２に設けた各種装飾用ランプである。また、図には明示していないが、このパチンコ機１の遊技盤２には、その適宜箇所に普通入賞口が設けてあるとともに、風車や障害釘等の流路転換手段が設けてある。
【００３６】
図６は、上述したパチンコ機１の制御手段６０を示すブロック図である。この制御手段６０は、それぞれ個別のＣＰＵ６０１，６１１を備えた遊技制御装置６００および本体制御装置６１０を具備するもので、例えばパチンコ機１の背面側に配設してある。
【００３７】
遊技制御装置６００の遊技制御用ＣＰＵ６０１は、主に遊技盤側の制御を行う部分である。すなわち、この遊技制御用ＣＰＵ６０１は、スタートチャッカ２０に設けた普図始動スイッチ２１、権利発生装置３０に設けたＶ入賞検出スイッチ３８および入賞検出スイッチ３９、変動入賞装置４０に設けた入賞カウントスイッチ４４、大当たり始動入賞装置５０に設けた大当たり始動スイッチ５１０、さらには入賞球処理装置に設けた入賞球確認スイッチ７０等からの出力信号を監視し、これら各スイッチからの出力信号と、ＲＯＭ６０２およびＲＡＭ６０３に格納したプログラムやデータ等とに基づいて、上述した普通図柄表示装置１００、翼片駆動ソレノイド３４、ゲート板駆動ソレノイド４３および電動モータ５４０等の駆動制御を行うためのものである。
【００３８】
一方、本体制御装置６１０の本体制御用ＣＰＵ６１１は、主にパチンコ機本体側の制御を行う部分である。すなわち、この本体制御用ＣＰＵ６１１は、入賞球処理装置に設けた入賞球検出スイッチ７１からの出力信号を監視し、該入賞球検出スイッチ７１から与えられた出力信号と、上述した遊技制御用ＣＰＵ６０１からの出力信号とに基づいて入賞球処理用ソレノイド７２や賞球払出装置７３等の駆動制御を行うためのものである。なお、図には示してはいないものの、遊技球の発射装置もこの本体制御用ＣＰＵ６１１の制御下におかれている。
【００３９】
上記のように構成したパチンコ機１では、図示していない操作ハンドルの操作によって打ち出された遊技球が、ガイドレール３によって遊技盤２の遊技領域４上方に案内され、障害釘や風車によって適宜方向を転換しながら遊技領域４内を順次流下することになる。
【００４０】
この間、上述した制御手段６０においては、以下に記載するような処理を実施し、所望のパチンコ遊技を実現するようにしている。なお、以下の説明においては便宜上、初期状態において、権利発生装置３０および変動入賞装置４０がいずれも閉成状態にあるとともに、大当たり始動入賞装置５０の花弁体５２０が上述した通過許容状態にあるものとする。
【００４１】
先ず、上記制御手段６０は、初期電源投入時であるか否かを判断し、初期電源投入時であると判断した場合にのみ電動モータ５４０の駆動を開始する。以降、遊技中において当該電動モータ５４０を常時一定の速度で回転させる。この電動モータ５４０の回転速度は、本実施形態の場合、後述する変動入賞装置４０の開成時間との関係から約４秒で１回転する速度に設定してある。
【００４２】
電動モータ５４０の駆動が開始すると、カムプレート５４２の回転によってドライブピン５４３がロータ送り弁５５０のドリブンレバー５５２に係合し、該ドリブンレバー５５２を押し下げるようにロータ送り弁５５０を回転させるため、ドライブレバー５５３がロータ５３０の動力伝達板５３３と係合可能となるように上方に向けて揺動することになる。
【００４３】
しかしながら、花弁体５２０が通過許容状態となっている場合には、ロータ５３０がアンロック状態にあり、ドライブレバー５５３の揺動移動域に対して間欠用欠損部５３３ａが合致しているため、ドライブレバー５５３がロータ５３０の動力伝達板５３３と係合することはない。従って、大当たり始動入賞装置５０が待機状態にある場合には、電動モータ５４０の駆動動作に関わらずロータ５３０が継続的にアンロック状態に保持されることになり、花弁体５２０の係合突起５２１が変位用欠損部５３２ａを通過して、図３（ａ）に示すように、当該花弁体５２０が常に通過許容状態に保持されるようになる。
【００４４】
次いで、遊技制御装置６００の遊技制御用ＣＰＵ６０１は、普図始動スイッチ２１を通じて遊技球がスタートチャッカ２０に入賞したか否かを監視する。スタートチャッカ２０に対する遊技球の入賞を検出しなかった場合には、以降の手順を経ることなく今回の処理を終了する。
【００４５】
一方、遊技領域４を流下する遊技球がスタートチャッカ２０に入賞し、普図始動スイッチ２１によってこれを検出すると、遊技制御用ＣＰＵ６０１は、普通図柄表示装置１００を所定時間だけ変動表示させる。この間、スタートチャッカ２０に入賞した遊技球に対しては、遊技盤２の裏面側に取り込んだ後、入賞球処理装置において個別に入賞処理が行われる。すなわち、入賞した遊技球が入賞球処理装置に案内されると、入賞球検出スイッチ７１によってこれら遊技球が個別に検出され、その検出結果が本体制御用ＣＰＵ６１１に与えられる。入賞球検出スイッチ７１から検出信号が与えられた本体制御用ＣＰＵ６１１は、普図始動スイッチ２１からの検出信号に基づいて賞球数を決定し、この賞球数に対応した賞球を遊技者に対して払い出すべく賞球払出装置７３を駆動する。入賞球確認スイッチ７０によって賞球の払い出しが確認されると、入賞球処理用ソレノイド７２が駆動し、遊技球が機外に排出されることになる。
【００４６】
上述した変動時間が経過すると、普通図柄表示装置１００の変動表示が順次停止し、当該普通図柄表示装置１００の各表示領域１０１，１０２，１０３にそれぞれ図柄が停止表示される。この普通図柄表示装置１００の各表示領域１０１，１０２，１０３に表示された停止図柄が予め設定した特定の態様、例えば「１１１」、「２２２」、「７７７」等のように３つの停止図柄が同一となった場合（以下、単に当たり図柄と称する）、上記遊技制御用ＣＰＵ６０１は、翼片駆動ソレノイド３４を駆動して権利発生装置３０を所定の期間（例えば５〜６秒）だけ遊技球が入賞し易い開成状態に切り替える。
【００４７】
なお、普通図柄表示装置１００が変動表示を行っている間に、遊技球がスタートチャッカ２０に入賞した場合、上記遊技制御用ＣＰＵ６０１は、最大４つまでこれを記憶・保留し、この記憶結果を始動記憶用ランプアレイ１１０の点灯数で遊技者に可視表示する。その後、普通図柄表示装置１００の変動表示が終了した時点で順次この記憶数に応じた回数だけ普通図柄表示装置１００の変動表示を実施する。また、普通図柄表示装置１００の各表示領域１０１，１０２，１０３に表示された停止図柄が当たり図柄でない場合には、以降の手順を経ることなく今回の処理を終了する。
【００４８】
次いで、上記遊技制御用ＣＰＵ６０１は、権利発生装置３０に設けたＶ入賞検出スイッチ３８を通じて当該権利発生装置３０の特定入賞口３５に対する遊技球の入賞を監視する。権利発生装置３０に対して遊技球の入賞がなかった場合、あるいは権利発生装置３０へは入賞したもののその遊技球が一般入賞口３６を通過した場合には、いずれも以降の手順を経ることなく今回の処理を終了する。ただし、権利発生装置３０の一般入賞口３６を通過した遊技球に対しては、入賞検出スイッチ３９の検出結果に基づき、スタートチャッカ２０に入賞した場合と同様に入賞球処理装置において入賞処理が行われ、所定数の賞球が与えられることになる。
【００４９】
一方、権利発生装置３０に入賞した遊技球が特定入賞口３５を通過し、これがＶ入賞検出スイッチ３８によって検出されると、いわゆる権利発生となる。ただし、既に権利が発生している状態においてＶ入賞検出スイッチ３８が遊技球を検出した場合には、逆に権利消滅となる。
【００５０】
特定入賞口３５への遊技球の入賞によって権利が発生した場合、上記遊技制御用ＣＰＵ６０１は、大当たり始動入賞装置５０に対する遊技球の入賞を監視し、大当たり始動スイッチ５１０を通じて遊技球の入賞を検出した時点で特別遊技に移行させる。
【００５１】
上述した特別遊技では、遊技制御用ＣＰＵ６０１によってゲート板駆動ソレノイド４３が駆動され、所定の期間だけ変動入賞装置４０が開成状態に切り替えられるため、つまり通常時においては閉じている大入賞口４１が開くことになるため、この大入賞口４１に対する入賞数が短時間で大量となる。大入賞口４１に入賞したそれぞれの遊技球に対しては、スタートチャッカ２０に入賞した遊技球と同様に、入賞球処理装置において個別に入賞処理が行われ、それぞれに対して所定数の賞球が払い出されることになる。しかも、この特別遊技は、例えば１０秒が経過する、または入賞カウントスイッチ４４が１０個の遊技球を検出する、のいずれかが満たされるまでの間、変動入賞装置４０が継続的に開成状態に切り替えられる状態を１ラウンドとし、大当たり始動入賞装置５０に最大１６個の遊技球が入賞するまで、つまり最大１６ラウンドまで繰り返し実施することが可能である。
これらの結果、遊技者は、特別遊技に移行した場合、きわめて大きな利益を得ることができるようになる。
【００５２】
以下、上述した処理が繰り返し実行され、パチンコ遊技が進行する。
【００５３】
ここで、特別遊技において変動入賞装置４０を開成状態へ切り替える契機となる大当たり始動入賞装置５０は、これが待機状態にある場合、上述したように常に一対の花弁体５２０が通過許容状態に保持されている。従って、権利発生後において最初の遊技球が大当たり始動入賞装置５０に入賞した場合には、これが入賞経路５１の花弁体５２０およびロータ５３０を順次通過し、そのまま大当たり始動スイッチ５１０によって検出されることになり、多大な時間を要することなく特別遊技に移行できるようになる。
【００５４】
この間、大当たり始動入賞装置５０では、最初の遊技球が入賞すると、図３（ｂ）に示すように、この遊技球が入賞経路５１を通過する際に花弁体５２０に設けた切替作用面５２２の下端部に当接し、当該花弁体５２０が一旦通過阻止状態に変換されるようになる。これと同時に上記遊技球は、図３（ｃ）および図３（ｄ）に示すように、入賞経路５１を通過する際にロータ５３０の動力伝達板５３３に当接し、これを押し下げるように当該ロータ５３０を回転させるようになる。このロータ５３０の回転は、これに当接するロータ押さえ５３４の作用により、９０°回転した位置で停止するように保証される。この結果、遊技球の通過に伴って一旦通過阻止状態に変換した花弁体５２０は、それぞれの係合突起５２１がロータ５３０の円板部５３２に係合することになり、通過許容状態に復帰することなく通過阻止状態を保持するようになる。
【００５５】
大当たり始動入賞装置５０の花弁体５２０が通過阻止状態にある場合には、上述したように、花弁体５２０の上端部間距離が遊技球の外径よりも小となるため、たとえこの間に大当たり始動入賞装置５０に遊技球が入賞した場合であっても、図３（ｅ）に示すように、遊技球の入賞経路５１への進入が阻止された状態、つまり遊技球の入賞検出が保留された状態となる。
【００５６】
一方、花弁体５２０が通過阻止状態となった場合には、図４（ａ）に示すように、ロータ５３０において間欠用欠損部５３３ａを有していない動力伝達板５３３がドライブレバー５５３に近接するようになる。
【００５７】
従って、カムプレート５４２のドライブピン５４３がロータ送り弁５５０のドリブンレバー５５２に係合し、該ドリブンレバー５５２を押し下げるようにロータ送り弁５５０が回転すると、図４（ｂ）および図４（ｃ）に示すように、上方に向けて揺動するドライブレバー５５３が動力伝達板５３３に係合してロータ５３０を回転させるようになる。ロータ５３０を回転させたロータ送り弁５５０は、その後、ドライブピン５４３とドリブンレバー５５２との係合状態が解除された時点で、図４（ｄ）に示すように、常態に復帰する。この間、回転したロータ５３０は、ロータ押さえ５３４の作用によって９０°まで回転を進めた状態に保持される。
【００５８】
上述した動作は、ロータ５３０において間欠用欠損部５３３ａを有した動力伝達板５３３がドライブレバー５５３に近接するまで繰り返し実施されることになり、都合、電動モータ５４０が３回転すると、再びロータ５３０がアンロック状態となって花弁体５２０が通過許容状態に保持されるようになる。この結果、入賞経路５１の上端部で保留された遊技球が入賞経路５１を進入できるようになり、大当たり始動スイッチ５１０を通過した時点でその入賞検出が実行される。
【００５９】
このように、上記大当たり始動入賞装置５０によれば、遊技球の入賞から電動モータ５４０が３回転するのに要する１２秒が経過するまでは、すなわち特別遊技の１ラウンドにおいて変動入賞装置４０が開成状態となっている時間（１０秒）が経過した後でなければ、次に入賞した遊技球の入賞検出を実行しないことになる。従って、最大ラウンド数に達する以前に権利が消滅する事態が発生することがなく、遊技者に平等の機会を与えることができるとともに、遊技者が得ることのできる利益にきわめて大きな開きが生じることもない。
【００６０】
しかも、上述したように、権利発生後において最初の遊技球が大当たり始動入賞装置５０に入賞した場合、あるいは大当たり始動入賞装置５０に遊技球が入賞してから１２秒経過した状態にある場合には、いずれもその入賞検出が直ちに実行され、多大な時間を要することなく特別遊技に移行することになる。従って、遊技者の遊技意欲を盛り上げることが可能となり、その興趣も著しく高まるようになる。
【００６１】
なお、上述した実施の形態では、スタートチャッカ、権利発生装置および変動入賞装置を備えたパチンコ機に適用した入賞装置を例示しているが、適用することのできる遊技機は上記のものに限定されず、連続入賞に伴って遊技者が不利益を被る虞れのあるものであればその他ものであっても構わない。
【００６２】
例えば図７に示す第二例は、一対の開閉羽根８１を開閉するようにした変動入賞装置８０を備えるパチンコ機１′において、上述した大当たり始動入賞装置５０と同一構成の入賞装置をスタートチャッカ９０として適用したものである。
【００６３】
このパチンコ機１′は、遊技球がスタートチャッカ９０に入賞した場合に、変動入賞装置８０に設けた一対の開閉羽根８１が所定の短時間だけ球入口８２を開成し、この開成中において遊技球が変動入賞装置８０の特定入賞口８３に入賞すると特別遊技となって変動入賞装置８０の開閉羽根８１が長時間開成するようになるものである。この種のパチンコ機１′にあっては、一般に、スタートチャッカ９０に遊技球が入賞して一対の開閉羽根８１が短時間だけ開成している間およびその後の無効期間に、次の遊技球がスタートチャッカ９０に入賞した場合、当該遊技球の入賞が無効となる、つまり開閉羽根８１が開成しないように設定してある。
【００６４】
しかしながら、上述した大当たり始動入賞装置５０と同一構成のスタートチャッカ９０を適用すれば、最初に入賞した遊技球に対してはその入賞検出を直ちに実行し、かつ以降に入賞した遊技球に対しては所定の時間が経過するまで入賞検出を実行しないため、次に入賞した遊技球に対しても一対の開閉羽根８１が確実に短時間だけ開成するようになり、遊技者に不利益を与えることがない。この場合、電動モータ５４０の回転速度やロータ５３０に設ける動力伝達板５３３の数を適宜調整することにより、遊技球の入賞が無効になる期間が経過した後、直ちに次の遊技球の入賞検出を実行するように設定することが好ましい。
【００６５】
なお、上述した実施の形態では、駆動源として電動モータという回転型のものを適用しているが、シリンダアクチュエータ等の直動型の駆動源を適用することももちろん可能である。また、駆動源として常に一定の駆動動作を繰り返し実施するものを適用するとともに、この駆動源の駆動動作を駆動部材に対して間欠的に伝達する動力伝達機構を適用しているため、複雑な制御回路を何ら要することなく第二入賞状態に変換した入賞装置を所定の時間経過後に第一入賞状態に復帰させることが可能であるが、制御回路によって駆動源の駆動動作を制御するように構成してももちろん構わない。さらに、入賞規制部材として一対の花弁体からなるものを例示しているが、遊技球の通過を規制することができるものであればその他の構成であってもよい。例えば、入賞検出部へ至る入賞経路中にプレートやロッド等を進退可能に配設して遊技球の通過を規制することも可能である。
【００６６】
【発明の効果】
以上説明したように、本発明によれば、揺動自在な一対の花弁体の上端部間および中央部間に遊技球の外径よりもわずかに大きな間隙を確保し遊技球の通過を許容して入賞検出を実行可能な通過許容状態と、花弁体の上端部間に遊技球の外径よりも小さな間隙を確保し遊技球の通過を阻止して入賞検出を停止可能な通過阻止状態とに変換する入賞装置であって、遊技球の入賞検出部に至る入賞経路と、この入賞経路に対して上端部間および中央部間に遊技球の外径よりもわずかに大きな間隙を確保した遊技球の通過を許容する通過許容状態と、上端部間に遊技球の外径よりも小さな間隙を確保した遊技球の通過を阻止する通過阻止状態の間を変位可能に配設し、常態においては通過許容状態となる一方、この通過許容状態において遊技球が入賞経路を通過する場合にはその通過過程で一旦通過阻止状態に変位する花弁体と、花弁体の近傍に変位可能に配設し、所定のアンロック状態となった場合には花弁体の通過許容状態への変位を許容する一方、当該アンロック状態において遊技球が入賞経路を通過した場合には当該遊技球に当接して所定のロック状態になるとともに通過阻止状態に変位した花弁体に設けた係合突起に係合して通過許容状態への復帰を阻止するために、円板部に形成した変位用欠損部および動力伝達板に形成した間欠用欠損部を設けたロータと、遊技中において一定の駆動動作を繰り返し実施する、出力軸にカムプレートを備える電動モータと、これらロータおよび電動モータの間に介在し、前記カムプレートに設けたドライブピンに係合可能なドリブンレバーおよび前記ロータの間欠用欠損部に臨むと共に動力伝達板に係合可能なドライブレバーを弁本体の周面に備え、当該弁本体の軸心周りに回転可能なロータ送り弁と、を備え、前記ロータが、花弁体の係合突起を円板部に係止させたロック状態となっている場合に前記ロータ送り弁のドライブレバーがロータの動力伝達板に係合して前記電動モータの駆動動作をロータに伝達し、予め設定した時間が経過した際に当該ロータを花弁体の係合突起が変位用欠損部に合致するアンロック状態に復帰させるようにしている。従って、最初に入賞した遊技球の入賞検出を直ちに実行する一方、以降に入賞した遊技球に対しては所定の時間が経過するまで入賞検出を実行しないため、遊技者の遊技意欲や遊技の興趣を損なうことなく遊技球の連続入賞に伴う遊技者の不利益を防止することが可能となる。
【図面の簡単な説明】
【図１】本発明に係る入賞装置の一実施形態を示すもので、（ａ）は第一入賞状態にある入賞装置の平面図、（ｂ）はその正面図、（ｃ）は断面側面図である。
【図２】（ａ）は図１に示した入賞装置が第二入賞状態に変換した状態を示す平面図、（ｂ）はその正面図、（ｃ）は断面側面図である。
【図３】図１に示した入賞装置の動作を示すもので、（ａ）は第一入賞状態の正面図、（ｂ）は遊技球の通過に伴って第二入賞状態に変換した状態を示す正面図、（ｃ）はその断面側面図、（ｄ）は入賞検出直前の状態を示す断面側面図、（ｅ）は第二入賞状態に保持された状態を示す正面図である。
【図４】（ａ）乃至（ｄ）は図１に示した入賞装置において駆動源から駆動部材に至る動力伝達機構の動作を順に示す断面側面図である。
【図５】図１および図２に示した入賞装置を適用するパチンコ機の第一例を示すもので、遊技盤の正面図である。
【図６】パチンコ機の制御手段を例示するブロック図である。
【図７】図１乃至図４に示した入賞装置を適用するパチンコ機の第二例を示すもので、遊技盤の正面図である。
【符号の説明】
１      パチンコ機
２      遊技盤
３      ガイドレール
４      遊技領域
５      アウト口
６      ランプ
１０      図柄表示ユニット
２０      スタートチャッカ
２１      普図始動スイッチ
３０      権利発生装置
３１      周壁
３２      入賞領域
３３      可動翼片
３４      翼片駆動ソレノイド
３５      特定入賞口
３６      一般入賞口
３７      案内通路
３８      Ｖ入賞検出スイッチ
３９      入賞検出スイッチ
４０      変動入賞装置
４１      大入賞口
４２      変動ゲート板
４３      ゲート板駆動ソレノイド
４４      入賞カウントスイッチ
５０      大当たり始動入賞装置
５１      入賞経路
５１ａ      入賞開口
５２      基板
５２ａ      切欠
５３      周壁
５４      前壁
５５      軸部材
６０      制御手段
７０      入賞球確認スイッチ
７１      入賞球検出スイッチ
７２      入賞球処理用ソレノイド
７３      賞球払出装置
８０      変動入賞装置
８１      開閉羽根
８２      球入口
８３      特定入賞口
９０      スタートチャッカ
１００      普通図柄表示装置
１０１，１０２，１０３      表示領域
１１０      始動記憶用ランプアレイ
５１０      大当たり始動スイッチ
５２０      花弁体
５２１      係合突起
５２２      切替作用面
５３０      ロータ
５３１      円柱状部
５３２      円板部
５３２ａ      変位用欠損部
５３３      動力伝達板
５３３ａ      間欠用欠損部
５３４      ロータ押さえ
５４０      電動モータ
５４１      出力軸
５４２      カムプレート
５４３      ドライブピン
５５０      ロータ送り弁
５５１      弁本体
５５２      ドリブンレバー
５５３      ドライブレバー
６００      遊技制御装置
６０１      遊技制御用ＣＰＵ
６０２      ＲＯＭ
６０３      ＲＡＭ
６１０      本体制御装置
６１１      本体制御用ＣＰＵ
【図１】
0003604619.tif 000002
【図２】
0003604619.tif 000003
【図３】
0003604619.tif 000004
【図４】
0003604619.tif 000005
【図５】
0003604619.tif 000006
【図６】
0003604619.tif 000007
【図７】
0003604619.tif 000008